(57)【要約】      （修正有）【課題】ヒールに補強構造を付するとともにクッション性のある部材を重畳的に配置することにより、靴の剛性・強度を保ちながら、柔軟性と屈曲性を持たせて履き心地を良くする事を可能とした柔軟性に富む靴を提供する。【解決手段】ヒール１１０単体と、本底１２０と、中板１３０と、中底１４０と、を積層固定した靴底部１００と、靴底部１００の上に固定設置されるアッパー２００とからなる柔軟性に富む靴であって、ヒール１１０は、ヒール本体１１２と、ヒール本体１１２に爪先方向へ突設されヒール本体１１２とともに本底１２０に積層固定される補強凸条１１４と、からなり、中板１３０は、足指付け根から土踏まずの間に第一凹部１３２が穿設されるとともに第一緩衝部材１３４が埋設され、中底１４０は、踵ｄに押圧される位置に第二凹部が穿設されるとともに第二緩衝部材１４４が埋設され、。【選択図】図１
2019216806.tif 000002
【特許請求の範囲】
【請求項１】
ヒール(110)単体と、該ヒールと別部材からなる本底(120)と、該本底と略同一形状の中板(130)と、該中板の踵部分の形状と略同一の中底(140)と、を積層固定した靴底部(100)と、該靴底部の上に固定設置される足を被包するアッパー(200)と、からなる柔軟性に富む靴において、
前記ヒール(110)は、後端(112a)側がラウンド状に形成された本底と別部材からなるヒール本体(112)と、該ヒール本体に爪先(a)方向へ突設されヒール本体とともに本底に積層固定される補強凸条(114)と、からなり、
前記中板(130)は、足指付け根(b)から土踏まず(c)の間の押圧される位置に第一凹部(132)が穿設されるとともに、該第一凹部(132)と同一形状の第一緩衝部材(134)が埋設され、
前記中底(140)は、反発力を有する緩衝材によって構成されるものであり、踵(d)に押圧される位置に第二凹部(142)が穿設されるとともに、該第二凹部(142)と同一形状の第二緩衝部材(144)が埋設され、
前記アッパー(200)は、爪先(a)部分から土踏まず(c)の間に第三緩衝部材(214)が封入される袋体(210)が形成されるとともに、前記中底(140)に対向する位置に開口(220)が設けられた形状で、前記靴底部(100)の上に積層固定されることを特徴とする柔軟性に富む靴。
【請求項２】
ヒール(110)単体と、該ヒールと別部材からなる本底(120)と、該本底と略同一形状の中板(130)と、該中板の踵部分の形状と略同一の中底(140)と、を積層固定した靴底部(100)と、該靴底部の上に固定設置される足を被包するアッパー(200)と、からなる柔軟性に富む靴において、
前記ヒール(110)は、後端側(112a)がラウンド状に形成された本底と別部材からなるヒール本体(112)と、該ヒール本体に爪先方向へ突設されヒール本体とともに本底に積層固定される補強凸条(114)と、からなり、
前記中板(130)は、足指付け根(b)から土踏まず(c)の間の押圧される位置に第一凹部(132)が穿設されるとともに、該第一凹部(132)と同一形状の第一緩衝部材(134)が埋設され、
前記中底(140)は、反発力を有する緩衝材によって構成されるものであり、
前記アッパー(200)は、爪先(a)部分から土踏まず(c)の間に第三緩衝部材(214)が封入される袋体(210)が形成されるとともに、前記中底(140)に対向する位置に開口(220)が設けられた形状で、前記靴底部(100)の上に積層固定されることを特徴とする柔軟性に富む靴。
【請求項３】
前記靴底部(100)は、前記中底(140)に対応する位置に更にインソール(150)が積層され、前記アッパー(200)が積層されることを特徴とする請求項１または請求項２記載の柔軟性に富む靴。
【請求項４】
前記補強凸条(114)は、爪先(a)に向けて傾斜角(θ)を設けた一本の水平な突条からなり、靴底部(100)の中央位置まで延設されていることを特徴とする請求項１または請求項２記載の柔軟性に富む靴。
【請求項５】
前記第三緩衝部材(214)は、軟性クッション材からなるとともに、前記アッパー(200)の爪先(a)部分から土踏まず(c)の間に設けられた袋体(210)に封入されて前記アッパー(200)を形成することを特徴とする請求項１または請求項２記載の柔軟性に富む靴。
【請求項６】
前記第一緩衝部材(134)および／または前記第二緩衝部材(144)は、高反撥クッション部材からなる事を特徴とする請求項１記載の柔軟性に富む靴。
【発明の詳細な説明】
【技術分野】
【０００１】
本発明は、革もしくは人工合成革材からなる靴に関し、特に、ヒールに補強構造を付加するとともにクッション性のある部材を重畳的に配置することにより、靴の強度を保ちながら、柔軟性と屈曲性を持たせて履き心地を良くする事を可能とした柔軟性に富んだ靴に関する。
【背景技術】
【０００２】
従来より、様々な構造からなる靴やその製法が考案され、幅広く用いられている。旧来からある靴の構造としては、アッパーと、中底や本底からなる底材と、からなり、アッパーは、天然皮革、合成皮革、人工皮革によって構成され、底材は、革底や合成底などによって構成される。これらを組み合わせ、更にクッション材等を用いることにより、安定性、柔軟性、屈曲性、クッション性等を確保した靴が形成される。近年では、更に靴を構成する各種構成要素に工夫を凝らして安定性、柔軟性、屈曲性、クッション性を更に高めた靴が開発されて製造されている。
【０００３】
例えば、特開２０１０−８２４３２号公報では、靴の構造および製造方法に関する技術が開示されている。ここでは、つま先部を袋状としたアッパーの下端周縁部に裾テープの幅方向一端部を縫着するとともに他端部を前部中底に吊り込み、中底と中敷材との間に中物を介在させて、前部中底に表底を固着させるとともに、土踏まず部および踵部では、アッパーの吊り込み代が後部中底に接着して吊り込み、更に後部中底の下面に表底を接着剤で固定する技術が開示されている。
【０００４】
この構成とすることにより、屈曲性があり靴の履き心地がよく、かつ、堅牢な作りを実現できる靴を構成することが可能となる旨が開示されている。確かにこの技術によれば、屈曲性や堅牢性を確保した靴を構成することが可能になると考えられるが、クッション性の観点からは不十分であり、更にヒールを設けた構造である場合に、ヨレに対する耐力が不十分であり、強度に不安が残るという問題点があった。
【０００５】
また、特開２０１０−２４６７８５号公報では、靴底に関する構造として、本底とミッドソールとシャンク部材とが積層一体化される靴底の構造に係る技術が開示されている。ここでは、シャンク部材に踵部とシャンク部と分岐部を設け、少なくとも踵部に対応する箇所に立壁リブを形成し、ミッドソールの踵部分に衝撃吸収材を埋め込み、衝撃吸収材の動的粘弾性の損失正接が、ミッドソールの動的粘弾性の損失正接より大きくなるようにする構造が開示されている。
【０００６】
この構造とすることにより、中底の強度や、踵部付近のねじれ等に対する靴底の剛性や、靴底の耐久性等を確保することが可能となる旨が示唆されている。また、シャンク部材の踵部の左右両サイドに靴の長さ方向に延びるスリット溝を形成することにより、踵部にかかる衝撃を広く分散して吸収することを可能とした旨が開示されている。
【０００７】
確かにこの技術によると、靴の剛性、耐久性を確保するとともに踵部に係る衝撃を吸収して歩きやすい靴を提供することが可能となると考えられるが、シャンクを装備する構造であることから堅い靴底とならざるを得ず、靴の柔軟性や屈曲性を確保するという観点では、充分な構造であるとは言えないという問題点があった。
【０００８】
健康増進のために歩く事が推奨される昨今において、主に革靴を履くビジネスマンも通勤等においてスニーカー等を履く事が進められている。このような現状で、革靴のような構造の靴であっても、柔軟性と屈曲性を兼ね備えた履き心地のよい柔軟性に富んだ靴の開発が望まれていた。
【特許文献１】特開２０１０−８２４３２号公報
【特許文献２】特開２０１０−２４６７８５号公報
【発明の開示】
【発明が解決しようとする課題】
【０００９】
本発明は、上記問題を解決するために、革もしくは人工合成革材からなる靴であって、特に、ヒールに補強構造を付するとともにクッション性のある部材を重畳的に配置することにより、靴の剛性・強度を保ちながら、柔軟性と屈曲性を持たせて履き心地を良くする事を可能とした柔軟性に富む靴を提供する。
【課題を解決するための手段】
【００１０】
上記の目的を達成するために本発明に係る柔軟性に富む靴は、ヒール単体と、該ヒールと別部材からなる本底と、該本底と略同一形状の中板と、該中板の踵部分の形状と略同一の中底と、を積層固定した靴底部と、該靴底部の上に固定設置される足を被包するアッパーと、からなる柔軟性に富む靴であって、前記ヒールは、後端側がラウンド状に形成された本底と別部材からなるヒール本体と、該ヒール本体に爪先方向へ突設されヒール本体とともに本底に積層固定される補強凸条と、からなり、前記中板は、足指付け根から土踏まずの間の押圧される位置に第一凹部が穿設されるとともに、該第一凹部と同一形状の第一緩衝部材が埋設され、前記中底は、反発力を有する緩衝材によって構成されるものであり、踵に押圧される位置に第二凹部が穿設されるとともに、該第二凹部と同一形状の第二緩衝部材が埋設され、前記アッパーは、爪先部分から土踏まずの間に第三緩衝部材が封入される袋体が形成されるとともに、前記中底に対向する位置に開口が設けられた形状で、前記靴底部の上に積層固定される構成である。
【００１１】
また、本発明に係る柔軟性に富む靴は、ヒール単体と、該ヒールと別部材からなる本底と、該本底と略同一形状の中板と、該中板の踵部分の形状と略同一の中底と、を積層固定した靴底部と、該靴底部の上に固定設置される足を被包するアッパーと、からなる柔軟性に富む靴であって、前記ヒールは、後端側がラウンド状に形成された本底と別部材からなるヒール本体と、該ヒール本体に爪先方向へ突設されヒール本体とともに本底に積層固定される補強凸条と、からなり、前記中板は、足指付け根から土踏まずの間の押圧される位置に第一凹部が穿設されるとともに、該第一凹部と同一形状の第一緩衝部材が埋設され、前記中底は、反発力を有する緩衝材によって構成されるものであり、前記アッパーは、爪先部分から土踏まずの間に第三緩衝部材が封入される袋体が形成されるとともに、前記中底に対向する位置に開口が設けられた形状で、前記靴底部の上に積層固定される構成でもある。
【００１２】
また、前記靴底部は、前記中底に対応する位置に更にインソールが積層され、前記アッパーが積層される構成である。
また、前記補強凸条は、爪先に向けて傾斜角を設けた一本の水平な突条からなり、靴底部の中央位置まで延設されている構成である。
【００１３】
また、前記第三緩衝部材は、軟性クッション材からなるとともに、前記アッパーの爪先部分から土踏まずの間に設けられた袋体に封入されて前記アッパーを形成する構成である。
更に、前記第一緩衝部材および／または前記第二緩衝部材は、高反撥クッション部材からなる構成である。
【発明の効果】
【００１４】
本発明は、上記詳述した通りの構成であるので、以下のような効果がある。
１．ヒール本体に補強凸条を設けたため、シャンクを用いない構造であっても靴の充分な強度を確保することが可能となるとともに、柔軟性、屈曲性に富んだ靴を形成することが可能となる。また、第一緩衝部材、第二緩衝部材および第三緩衝部材を設けたため、クッション性に富んだ履き心地のよい靴を提供することが出来る。更に、アッパーの爪先部分から土踏まず部分に第三緩衝部材を封入する構成としたため、緩衝部材が積層される事となり、更に履き心地のよい靴とすることが可能となる。
２．中底を、反発力を有する緩衝材によって構成したため、踵部分の充分なクッション性を確保することが可能となり、履き心地の良い靴を構成することが可能となる。
【００１５】
３．中底に対応する位置にインソールを積層する構成としたため、更に歩行時等における踵部分への衝撃を和らげることが可能となる。
４．補強凸条を、一本の水平な突条であって靴底部の中央位置まで延設する構造としたため、靴の強度を保つとともに、靴の屈曲性を確保することが可能となる。
【００１６】
５．第三緩衝部材を軟性クッション材とし、アッパーの袋体に封入する構成としたため、アッパーと緩衝部材を一体化して形成できるとともに、第一緩衝部材と併せてクッション性の高い靴底を有する靴を構成することが可能となる。
６．第一緩衝部材および第二緩衝部材を高反撥クッション部材としたため、クッション性が高く履き心地の良い靴を構成することが出来る。
【発明を実施するための最良の形態】
【００１７】
以下、本発明に係る空軟性に富む靴を、図面に示す実施例に基づいて詳細に説明する。図１は、本発明に係る柔軟性に富む靴の分解斜視図であり、図２は、本発明に係る柔軟性に富む靴の側面断面図である。図３は、第二緩衝部材のない柔軟性に富む靴の分解斜視図である。
本発明の柔軟性に富む靴１は、靴底部１００と、アッパー２００とからなり、屈曲性、柔軟性と履き心地の良さを兼ね備えた柔軟性に富んだ靴である。
【００１８】
靴底部１００は、靴の底部分を構成する積層部材であり、図１および図２に示すように、ヒール１１０と、本底１２０と、中板１３０と、中底１４０と、からなり、これらを積層固定することにより靴底部１００が構成される。
【００１９】
ヒール１１０は、靴の踵部分に設置される厚みのある支えである。ヒール１１０は、靴の中でも負荷が掛かる部材であるとともに歩く際の負荷を軽減することが求められる部材であるため、頑丈であってかつ柔軟性のある材質であることが望ましい。本実施例では、材質として革もしくは人工合成革材を用いているが、これに限定されることはなく、堅いラバー、ウレタン、スポンジなどあらゆる素材を用いる事が可能である。
【００２０】
本底１２０は、靴の底部分を形成する部材であり、靴を構成する部材の中では一番外側に位置する地面に直接触れる部分である。本底１２０は、ヒール１１０と別部材からなり、ヒール１１０単体が本底１２０の踵部分に固定設置される構成である。本底１２０は、地面等に直接接する部材であるため、充分な剛性が要求されるとともに、歩く際の負荷を軽減する材質であることが望ましい。本実施例では、その材質として革もしくは人工合成革材を使用しているが、これに限らず、剛性と柔軟性を有する強化ゴムなど他の素材を用いる事も可能である。
【００２１】
中板１３０は、本底１２０と中底１４０の間に積層される部材であり、主に本底１２０とアッパー２００とを接続するために用いられる部材である。本実施例では、本底１２０と略同一形状からなるとともに、本底１２０より薄い革素材を用いているが、これに限定されることはなく、ゴムやスポンジ等他の素材を適宜選択して使用する事が可能である。
【００２２】
中底１４０は、中板１３０の上に積層される靴の内側の底部材であり、主に靴の履き心地を良くするために設置される部材である。本実施例では、中底１４０は、中板１３０の踵部分の形状と略同一の形状からなり、革素材を用いているが、これに限定されることはなく、ゴムや軟性ウレタンフォーム、フェルト等他の素材を適宜選択して使用する事が可能である。
【００２３】
本実施例では、靴底部１００は、図１および図２に示すように、これらヒール１１０、本底１２０、中板１３０、中底１４０を積層固定することにより構成されるものであり、靴（特に革靴）で用いられるシャンクは、その構成部材として用いないのが特徴である。
【００２４】
ヒール１１０は、図１および図２に示すように、本実施例では、ヒール本体１１２と、補強凸条１１４とからなる。ヒール本体１１２は、後端１１２ａ側がラウンド状に形成されており、靴の踵部分の凸状を構成する、本底１２０と別部材からなるヒール１１０の本体である。また、補強凸状１１４は、ヒール本体１１２に、靴の爪先ａ方向へ向けて突設される先細状の突条部であり、ヒール本体１１２とともに本底１２０に積層固定される部材である。
【００２５】
本発明に係る靴１は、前述のように、シャンクをその構成部品に含まない構造であるため、靴底、特に踵ｄから土踏まずｃにかけての強度、剛性が落ちる虞がある。一方で、靴の屈曲性や柔軟性は非常に優れたものとなる。本実施例のようにヒール１１０に補強凸状１１４を設ける構造とすることにより、靴底部分の強度を充分に確保することが可能となり、同時に、靴の屈曲性や柔軟性を確保することが可能となった。
【００２６】
中板１３０は、図１および図２に示すように、足指付け根ｂから土踏まずｃの間であって、足の母指球近傍によって押圧される位置に、第一凹部１３２が穿設される構成である。更に、第一凹部１３２には、第一凹部１３２と同一形状の第一緩衝部材１３４が埋設される構成である。この構成とすることにより、足指付け根ｂから土踏まずｃ部分に対する衝撃を緩和することが可能となり、クッション性に富んだ履き心地のよい靴を形成することが可能となる。なお、凹部の形状と緩衝部材の形状は、前方後円の図面に示す形状に限定されるものではない。
【００２７】
中底１４０は、本実施例では、反発力を有する緩衝材によって構成されている。また、中底１４０は、図１および図２に示すように、足の踵によって押圧される位置に、第二凹部１４２が穿設される構成である。更に、第二凹部１４２には、第二凹部１４２と同一形状の第二緩衝部材１４４が埋設される構成である。この構成とすることにより、踵ｄ部分に対する衝撃を緩和することが可能となり、クッション性に富んだ履き心地のよい靴を構成することが可能となる。
【００２８】
アッパー２００は、図１および図２に示すように、靴底部１００の上に固定設置される部材であり、靴のうち足を被包する部分を構成するものである。アッパー２００は、爪先ａ部分から土踏まずｃの間を袋体２１０に形成している。この袋体２１０内に第三緩衝部材２１４が封入される構成である。
【００２９】
また、アッパー２００は、図１および図３に示すように、踵ｄ側の中底１４０に対向する位置に開口２２０が設けられた形状である。靴底部１００の上にアッパー２００が積層固定されることにより、靴１を履いた際には、開口２２０を介して挿入した足の踵が中底１４０に当接し、爪先が袋体２１０の前方に当接する事となる。この構造によれば、爪先部分に緩衝部材が積層される事となり、履き心地のよい靴とすることが可能となる。
【００３０】
本発明に係る柔軟性に富む靴１の他の実施例として、図３に示すように、中底１４０が反発力を有する緩衝材のみによって構成されるものであり、前述の第二凹部１４２および該第二凹部１４２に埋設される第二緩衝部材１４４を設けない構成とすることが可能である。この構成とすることにより、踵部分の充分なクッション性を確保することが可能となるとともに、より簡易に柔軟性に富む靴１を形成することが可能となり、履き心地の良い靴を提供することが可能となる。
【００３１】
本発明に係る靴１の靴底部１００は、図１および図２に示すように、中底１４０に対応する位置に更にインソール１５０を積層した上で、その上部にアッパー２００が積層固定される構造とすることも可能である。インソール１５０は、靴の履き心地を良くするための柔軟性を有する部材であり、足に直接接触する部材である。この構成とすることにより、更に歩行時等における踵部分への衝撃を和らげることが可能となる。
【００３２】
補強凸条１１４は、本実施例では、図１および図２に示すように、爪先ａに向けて傾斜角θを設けた一本の水平な突条からなる構成である。この補強凸条１１４は、本実施例では、靴底部１００の中央位置まで延設される構成である。本発明に係る柔軟性に富む靴１は、シャンクを用いない構成であるため、靴の踵部分から土踏まず部分にかけての強度が不充分という問題点が残る可能性があった。この問題を解消するため、補強凸条１１４を設けることにより、靴の踵ｄ部分から土踏まずｃ部分にかけての強度・剛性を確保することが可能となるとともに、補強凸条１１４がシャンクのような堅固な部材ではなく、ある程度の柔軟性を有する材質からなる構成であるため、靴の適度な縒れや屈曲性を確保することが可能となり、靴の強度を保つとともに、靴の柔軟性、屈曲性を確保することが可能となった。
【００３３】
第三緩衝部材２１４は、本実施例では、軟性クッション材からなる構成である。また、第三緩衝部材２１４は、アッパー２００の爪先ａ部分から土踏まずｃの間に設けられた袋体２１０に封入される構成である。これにより、アッパー２００が形成されることとなる。この構成とすることにより、アッパー２００と第三緩衝部材２１４を一体化して形成することができ、更に、第三緩衝部材２１４と第一緩衝部材１３４とが併さることによってクッション性の高い靴底を有する靴を構成することが可能となる。
【００３４】
本実施例に係る第一緩衝部材１３４および／または第二緩衝部材１４４は、高反撥クッション部材からなる構成である。この構成とすることにより、クッション性が高く履き心地の良い靴を構成することが可能となる。
【図面の簡単な説明】
【００３５】
【図１】本発明に係る柔軟性に富む靴の分解斜視図
【図２】本発明に係る柔軟性に富む靴の側面断面図
【図３】第二緩衝部材のない柔軟性に富む靴の分解斜視図
【符号の説明】
【００３６】
１    柔軟性に富む靴
１００    靴底部
１１０    ヒール
１１２    ヒール本体
１１２ａ    後端
１１４    補強凸条
１２０    本底
１３０    中板
１３２    第一凹部
１３４    第一緩衝部材
１４０    中底
１４２    第二凹部
１４４    第二緩衝部材
１５０    インソール
２００    アッパー
２１０    袋体
２１４    第三緩衝部材
２２０    開口
ａ    爪先
ｂ    指付け根
ｃ    土踏まず
ｄ    踵
θ    傾斜角
【図１】
2019216806.tif 000003
【図２】
2019216806.tif 000004
【図３】
2019216806.tif 000005